(57)【要約】【課題】訓練内容が体感できるようなガス保安訓練設備を提供すること。【解決手段】訓練対象者によるガス保安作業が可能な作業配管部１０と、作業配管部１０にガスを供給するガス供給部２０と、作業配管部１０と接続されているとともに作業配管部１０の少なくとも一部を経由してガス供給部２０からのガスが供給される下流配管３０と、下流配管３０に接続される少なくとも１つの圧力低下確認手段が備えられている。【選択図】図１
2014002215.tif 000002
【特許請求の範囲】
【請求項１】
訓練対象者によるガス保安作業が可能な作業配管部と、
前記作業配管部にガスを供給するガス供給部と、
前記作業配管部と接続されているとともに前記作業配管部の少なくとも一部を経由して前記ガス供給部からのガスが供給される下流配管と、
前記下流配管に接続される少なくとも１つの圧力低下確認手段を備えるガス保安訓練設備。
【請求項２】
前記圧力低下確認手段は、複数の圧力計または所定のガス圧力低下により遮断される複数のガスメータあるいはその両方である請求項１に記載のガス保安訓練設備。
【請求項３】
前記複数の圧力計または前記複数のガスメータあるいはその両方はそれぞれ前記作業配管部からの異なる配管長さを有する請求項２に記載のガス保安訓練設備。
【請求項４】
前記作業配管部は、地中配管を偽装するため、ピット内に配置されている請求項１から３のいずれか一項に記載のガス保安訓練設備。
【請求項５】
前記下流配管が前記作業配管部の周囲を周回している請求項１から４のいずれか一項に記載のガス保安訓練設備。
【請求項６】
前記ガスメータは、ガスの圧力が通常圧力から低下した際に遮断する機能を有する一般家庭用ガスメータである請求項２または３に記載のガス保安訓練設備。
【発明の詳細な説明】
【技術分野】
【０００１】
本発明は、訓練対象者にガス保安作業時の現場に近い環境を体感させるガス保安訓練設備に関する。
【背景技術】
【０００２】
コンピュータシミュレーションを用いて、モニタ画面との対話を通じて訓練を行う訓練システムは、特許文献１に記載されている。このシステムでは、訓練システムの使用者は、現場画面表示部が現場画面表示領域に表示した現場画面によって、保安作業現場を疑似体験できるとともに、訓練者である使用者の意思によって、現場画面の表示領域を変更しながら保安作業現場を移動して、現場画面内に表示されている作業個所を選択することで、訓練シナリオで予定されている一連の保安作業における個別作業を、使用者の意思によって選択された順序で各別に実行することができる。
しかしながら、モニタ画面を通じての訓練では体を動かさないため臨場感が不十分であり、また、ガス保安作業に付随してその作業箇所の周辺に生じる種々の現象を距離感をもって体験できないため、訓練内容を体で覚えるといった訓練成果は期待薄である。
【先行技術文献】
【特許文献】
【０００３】
【特許文献１】特開２００６‐１３９１６３号公報（段落番号〔０００９−００２６〕、図１）
【発明の概要】
【発明が解決しようとする課題】
【０００４】
上記実情に鑑み、コンピュータシミュレーションを用いた保安作業訓練では不可能であった、その訓練内容が体感できるようなガス保安訓練設備も望まれている。特に、ガス保安作業における、本管や支管からの先継ぎ作業、分岐取り出し作業、バルブ交換作業などでは、作業時にガス漏れ等による既設管の圧力低下が生じ、既設管に接続されている顧客ガスメータが遮断されることがある。従って、ガス保安作業によって、顧客ガスメータの遮断に至るような既設管の圧力低下がどの程度の範囲まで及ぶかを距離感をもって体験することは、実際の保安作業内容と同様に重要な訓練内容となるにもかかわらず、従来の訓練設備では考慮されていなかった。
【課題を解決するための手段】
【０００５】
本発明によるガス保安訓練設備は、訓練対象者によるガス保安作業が可能な作業配管部と、前記作業配管部にガスを供給するガス供給部と、前記作業配管部と接続されているとともに前記作業配管部の少なくとも一部を経由して前記ガス供給部からのガスが供給される下流配管と、前記下流配管に接続される少なくとも１つの圧力低下確認手段を備えている。
【０００６】
この構成によれば、作業配管部に対する実際的なガス保安作業ないしは仮想的なガス保安作業において生じたガス放出に起因する下流配管での圧力低下という現象は、圧力低下確認手段に対するチェックを通じて把握することができる。つまり、不測に生じた圧力低下の影響は、下流配管に接続されている圧力低下確認手段が圧力低下を示しているかどうか、あるいは圧力低下に伴って所定の動作を行っているかどうかを確認することで、訓練対象者が把握することができる。
【０００７】
この圧力低下確認手段の好ましい形態は、圧力計やガスメータである。その際、圧力計またはガスメータだけを用いてもよいし、圧力計とガスメータをセットで用いても良い。特にガスメータは、圧力低下に起因して遮断状態に切り替わるという機能を有しているので、その遮断状態をチェックすることで不測に生じた圧力低下の影響を調べることができる。さらに、圧力計やガスメータの設置台数が複数であれば、下流配管における多数箇所で圧力低下の状況を調べることができる。
また、前記複数の圧力計または前記複数のガスメータあるいはその両方がそれぞれ前記作業配管部からの異なる配管長さを有するように配置される構成を採用すると、複数の圧力計の指示値の低下やガスメータの遮断機能のチェックを通じて、圧力低下の配管長さに基づく分布を把握することも可能となる。また、実際の保安作業において起こり得るガス放出に起因したガスメータの遮断をチェックする作業を実際に行うことで、本番における工事終了後の周辺家庭のガスメータをチェックすることの必要性が身につくことになる。さらに、このガス保安訓練設備では実際的なガス保安作業を行わずに、仮想的なガス保安作業として作業配管部から所定のガス放出だけを行うだけでも、そのようなガス放出と、下流側でのガス低下による圧力計の指示値の低下やガスメータの遮断という問題を体験することも可能である。
【０００８】
ガス保安作業の多くは、地面を掘り返すことで現れる埋設管に対して行われる。従って、本発明の好適な実施形態の１つでは、前記作業配管部は、地中配管を偽装するため、ピット内に配置されており、これにより、偽装された地中配管に対する、先継ぎ、分岐取り出しバルブ交換などのガス保安作業をよりリアルに実施することができる。さらに、地面を掘ったままの形態でピット内部の側面や床面を作り出しておくと、実際に近い足場の状態をリアルに体験することができる。特にこのピットを野外に配置しておくと、その訓練時の季節条件や日時条件をリアルに体験することができる。
【０００９】
作業中に生じたガス放出がもたらす下流配管での圧力低下の長い距離範囲での分布を圧力計の指示値の低下やガスメータのチェックを通じて把握するためには、作業配管部と圧力計やガスメータまでの最大配管長さを長くする必要がある。これを限られたスペースにおいて可能にするために、本発明の好適な実施形態の１つでは、前記下流配管が前記作業配管部の周囲を必要な長さに達するまで周回している。
【００１０】
本発明による好適な実施形態の１つでは、前記ガスメータとして、ガスの圧力が通常圧力から低下した際に遮断する機能を有する一般家庭用ガスメータが採用されている。このような構成を採用することにより、ガス放出をともなうような実際の工事において生じる可能性があり、一般家庭に迷惑をかけることになる一般家庭用ガスメータの遮断問題をリアルに体験することができる。この体験を通じて、訓練者は工事終了後にチェックして正常に復帰させることの重要性を体で覚えることができる。
【図面の簡単な説明】
【００１１】
【図１】本発明によるガス保安訓練設備の実施形態の１つを示す平面図である。
【図２】図１によるガス保安訓練設備の側面図である。
【図３】本発明によるガス保安訓練設備の別な実施形態を示す模式図である。
【発明を実施するための形態】
【００１２】
弁が取り付けられたガス配管領域におけるガス保安作業、及びそのガス保安作業にともなって発生しうる既設管の圧力低下を確認できるガス保安訓練設備が、本発明によるガス保安訓練設備の実施形態の１つとして、図１と図２に示されている。このガス保安訓練設備では、埋設管に対するガス保安作業を対象としているので、保安作業の対象となる作業配管部１０が地面を掘って形成されたピット１に配置されている。ここでは、作業配管部１０は地中配管として偽装されている。ピット１は、長さ２ｍ、幅１．５ｍ、深さ１ｍ程度の大きさを有し、このガス保安訓練設備を平面視で示している図１から明らかなように、作業配管部１０を構成する作業管１１は深さ約７０ｃｍのところをピット１の長手方向に延びている。図１では、作業管１１には分岐継手１２が設けられており、この分岐継手１２に対する保守作業や修理作業が可能である。もちろん、この作業管１１の他の箇所からの先継ぎ作業、分岐取り出し作業、あるいは予め分岐継手１２に代えてバルブを設けておいて行うバルブ交換作業などのガス保安作業も可能である。また、実際に即した工事現場を想定して、ここでのガス保安作業対象である分岐継手１２の周辺に、作業を妨害する妨害物２がコンクリート構造体の形態で設けられている。
【００１３】
作業管１１の両端は地中内であるが、その一端側には、ガス供給部２０を構成する供給管２１が接続されている。供給管２１は１３Ａガスの都市ガス配管又はガスボンベ２２に接続されており、これにより作業管１１にガスを供給することができる。作業管１１の他端は閉鎖されているが、その他端領域に分岐継手１３が設けられており、この分岐継手１３には、下流配管３０が接続されている。ピット１を周回している下流配管３０は、比較的径の大きな枝管３１と枝管３１に較べて径が小さい引出し管３２とから構成されている。引出し管３２は通常枝管３１に接続されているが、図１の例では、作業管１１に直接接続している引出し管３２も存在している。つまり、下流配管３０を構成する引出し管３２には、作業配管部１０の少なくとも一部を経由してガス供給部２０からのガスが供給されることになる。
【００１４】
引出し管３２は最終的には地上に立ち上がっており、この実施形態ではその立ち上がり箇所には、開閉弁３３を介してガスメータ４０及び圧力計４５が接続されている。もちろん、ガスメータ４０だけでもよいし、圧力計４５だけでもよい。このガスメータ４０は、一般家庭に配置されているものと実質的に同一であり、遮断機能を有している。この遮断機能は、特定の条件が成立した場合に、例えば、ガスの圧力が所定値以下に低下した場合、ガスが異常に長い時間流量の変動なく流れつづけた場合、感震器が大きな地震を感知した場合、急にガスの流れが増加した場合に、内蔵する遮断機構を働かせてガスの流れを遮断する機能であるが、ここでは、圧力低下による遮断機能を利用している。
【００１５】
ガスメータ４０や圧力計４５は複数台用意されている。それぞれのガスメータ４０と圧力計４５の組み合わせに対して、開閉弁３３と引出し管３２が割り当てられており、保安作業箇所である作業管１１の分岐継手１２と各ガスメータ４０との配管長さが適切に異なるように配置されている。図１の例では、３つのガスメータ４０、つまり第１ガスメータ４１、第２ガスメータ４２、第３ガスメータ４３、及びそれぞれのガスメータ４０の後流側に圧力計４５が設置されている。第１ガスメータ４１と分岐継手１２との配管長さは約１ｍであり、第２ガスメータ４２と分岐継手１２との配管長さは約１０ｍであり、第３ガスメータ４３と分岐継手１２との配管長さは約２０ｍである。なお、第１ガスメータ４１と分岐継手１２との配管長さが短いので、第１ガスメータ４１と接続している引出し管３２は直接作業管１１から引き出されている。図示した例では、ガスメータ４０と圧力計４５のセットは３台用意されているが２台でもよいし、さらに多数のガスメータ４０を用意してもよい。
【００１６】
本管に接続されている継手の交換などの実際のガス保安作業において、下流側へのガス供給が滞らないように本管へのガス供給を停止させないことが要求される。このような場合、ノーブロー工法などによりできるだけガスの放出を避けるように作業が行われるが、不測のガス放出が生じる場合もある。そのようなガス放出が生じると、下流側のガス管に圧力低下が生じ、その圧力低下が家庭のガスメータ４０にまで影響し、そのガスメータ４０の遮断機能が作動する可能性があるので、作業終了後に各家庭のガスメータ４０をチェックし、遮断機能が作動したガスメータ４０に対して復帰操作を行う必要がある。しかしながら、ガス管の下流側への圧力低下がどの程度の配管長さまで及ぼすかを把握するには経験と知識が必要である。この問題を訓練者に体験させるために、このガス保安訓練設備では、作業対象となっている作業配管部１０から異なる配管長さをもつ複数のガスメータ４０が設置されている。
【００１７】
次に、上述のように構成されたこの実施形態のガス保安訓練設備における訓練課程の一例を説明する。
（１）作業管１１の分岐継手１２のノーブロー工法でのガス保安作業を訓練保安作業として設定する。
（２）訓練保安作業を行う。
（３）訓練保安作業時におけるガス放出状況を推定する。ここでのガス放出状況の推定に関して、訓練保安作業でのガス放出がほとんど推定されない場合には、作業管１１ないしは、作業管１１に近傍する管部に設けられた開放口にからわざとガス放出を行ってもよい。
（４）各ガスメータ４０が圧力低下によって遮断作動していないかどうかチェックする。その際、各ガスメータ４０が遮断作動していなくても各圧力計４５の指示値の低下をチェックする。
（５）遮断作動しているガスメータ４０があれば、そのガスメータ４０の分岐継手１２までの配管長さと、今回の作業で推定されたガス放出状況とに基づいて、下流配管におけるガスの圧力低下の広がりを経験する。ガスメータ４０が遮断作動していなくとも、つまり、所定レベル以下の圧力低下しか生じていない場合でも、必要に応じて、圧力計４５をチェックすることで圧力低下を確認してもよい。
（６）遮断作動しているガスメータ４０がなければ、分岐継手１２から適量のガス放出を行い、どの程度のガス放出で、圧力低下によって遮断されるガスメータの配管長さに基づく分布を実際に経験する。ここでも、同時に、圧力計４５のチェックを行うと良い。
【００１８】
上記の訓練保安作業では、ガス放出状況に基づく下流配管におけるガスの圧力低下の広がりを体験することができるとともに、ガス保安作業後に各家庭に設置されているガスメータを調べて、圧力低下による遮断が作動しているかどうかを確認することの重要性を理解することができる。
【００１９】
図３には、第２の実施形態として、図１によるガス保安訓練設備とは別な配管構成を有するガス保安訓練設備が模式的に示されている。このガス保安訓練設備でも、作業配管部１０を構成する作業管１１（ここでは不要管）にはガス供給部２０を構成する供給管２１が接続され、さらにガスの流れ方向に関して作業配管部１０の下流側となる下流配管３０が供給管２１に接続されている。さらに、下流配管３０から分岐した引出し管３２に、開閉弁３３を介してガスメータ４０及び圧力計４５が接続されている。供給管２１と下流配管３０とにはそれぞれ圧力測定部５１、５２（例えば圧力計）が設けられており、作業配管部１０の上流側と下流側でのガス圧力を測定することができる。
【００２０】
このガス保安訓練設備で行われるガス保安作業の一例は、図３では仮想線で示されているバイパス管１５を作業配管部１０の上流側箇所と下流側箇所に設けた分岐継手を用いて設置し、その後に作業配管部１０の作業管１１を取り外して管の取替えや撤去を行う作業である。このような作業においては、
（１）バイパス管１５を装着、
（２）作業管１１の取り外し箇所の上流箇所及び下流箇所をスクイズオフ又はガスバッグ１８によって遮断、
（３）作業管１１を取り外し、取り外し箇所にプラグを装着する、
という手順で作業が行われる。
この保安訓練設備では、（２）の遮断工程においてガス遮断が不十分なまま（３）の作業管の取り外し工程を行ってしまった場合、あるいは誤って（２）の遮断工程の前に（３）の作業管の取り外し工程を行ってしまった場合にどういうことになるかを実際に体験することができる。つまり、ガス噴出の状況、その際の上流側箇所と下流側箇所の圧力変動、ガス噴出によるガスメータの遮断などが体験可能である。
【００２１】
〔変形例〕
（１）上述したガス保安訓練設備に照明設備、暗幕設備、送風設備、放水設備などを設置して、季節条件、天候条件、時間条件を任意に設定できるようにしてもよい。
（２）ガス供給部２０からは実際の１３Ａガスが供給されるようにしてもよいが、ガスの放出状況を視覚的に認識できるようにガスに色ガスや煙を混入させてもよいし、全く無害なガス（例えば、１３Ａガスを窒素で希釈したガス）を採用してもよい。
【産業上の利用可能性】
【００２２】
本発明のガス保安訓練設備は、訓練対象者が実際の現場に近い環境下で体感することができる特定のガス保安作業のための訓練設備として適用することができる。
【符号の説明】
【００２３】
１：ピット
１０：作業配管部
１１：作業管
２０：ガス供給部
２１：供給管
２２：ガスボンベ
３０：下流配管
４０：ガスメータ
【図１】
2014002215.tif 000003
【図２】
2014002215.tif 000004
【図３】
2014002215.tif 000005